(57)【特許請求の範囲】
【請求項１】
光源と、当該光源から射出された光束を画像情報に応じて変調して光学像を形成する光変調装置と、形成された光学像を投射する投射レンズと、前記光源、前記光変調装置および前記投射レンズを内部に収納する筐体とを備えたプロジェクタであって、
前記筐体は、
当該筐体に対しスライド自在に設けられ、一方向にスライドして前記投射レンズの投射口を覆い、他方向にスライドして前記投射口を露出させるレンズカバーと、
光束を射出する発光部、および、当該発光部により射出された光束を受光する受光部を有し、前記受光部により受光される光束の有無により前記レンズカバーの開閉状態を検出する検出手段とを備え、
前記発光部および前記受光部は、
当該発光部から射出され、前記受光部に入射する光束の光路が前記レンズカバーのスライド方向に対して交差するように配置され、
前記レンズカバーには、前記発光部から前記受光部に入射する光束を遮蔽する遮蔽部が設けられ、
前記遮蔽部は、前記レンズカバーのスライド方向に沿って形成され、前記レンズカバーのスライド移動に伴って、前記投射口が完全に露出した状態から前記投射口の一部を覆う状態に切り替わるまでの間、または、前記投射口を完全に覆う状態から前記投射口の一部を露出させるまでの間、前記受光部での受光を遮蔽する幅を有することを特徴とするプロジェクタ。
【請求項２】
請求項１に記載のプロジェクタにおいて、
前記検出手段と接続され、当該検出手段から前記レンズカバーの開閉状態を取得して、当該レンズカバーの開閉状態を判定する状態判定部と、
前記状態判定部により前記レンズカバーが閉状態であると判定されると、前記光変調装置に黒画像を形成させる画像形成制御部とを備えることを特徴とするプロジェクタ。
【請求項３】
請求項２に記載のプロジェクタにおいて、
前記画像形成制御部は、前記状態判定部により、前記レンズカバーが閉状態から開状態に切り替わったと判定されると、前記光変調装置に前記画像情報に基づく光学像を形成させることを特徴とするプロジェクタ。
【請求項４】
請求項１から請求項３のいずれかに記載のプロジェクタにおいて、
前記検出手段と接続され、当該検出手段から前記レンズカバーの開閉状態を取得して、当該レンズカバーの開閉状態を判定する状態判定部と、
前記状態判定部により前記レンズカバーが閉状態であると判定されると、前記光源の発光光量を低減させる光源駆動制御部とを備えることを特徴とするプロジェクタ。
【請求項５】
請求項４に記載のプロジェクタにおいて、
前記光源の発光光量を記憶する記憶手段と、
前記レンズカバーの開状態での前記光源の発光光量を前記記憶手段に記憶させる発光光量記憶部とを備え、
前記光源駆動制御部は、前記状態判定部により、前記レンズカバーが閉状態から開状態に切り替わったと判定されると、前記発光光量記憶部により前記記憶手段に記憶された前記発光光量で前記光源を点灯させることを特徴とするプロジェクタ。
【請求項６】
請求項１から請求項５のいずれかに記載のプロジェクタにおいて、
前記筐体の前記レンズカバーに対向する面には、当該レンズカバーに当接する突起部材と、前記レンズカバーに対して前記突起部材を一方向に付勢する付勢部材とが設けられ、
前記レンズカバーには、
前記突起部材に当接し、当該レンズカバーのスライド範囲の略中央を中心として略対称に形成された傾斜部が、前記レンズカバーのスライド方向に沿って設けられ、
前記傾斜部は、前記レンズカバーのスライドに伴って前記突起部材を前記スライド範囲の中央に位置させるに従って、当該突起部材を前記付勢部材による付勢力が増す方向に移動させることを特徴とするプロジェクタ。
【請求項７】
請求項６に記載のプロジェクタにおいて、
前記傾斜部の両端には、前記突起部材が嵌まり込む段差部が設けられていることを特徴とするプロジェクタ。
【発明の詳細な説明】
【技術分野】
【０００１】
本発明は、光源と、当該光源から射出された光束を画像情報に応じて変調して光学像を形成する光変調装置と、形成された光学像を投射する投射レンズと、前記光源、前記光変調装置および前記投射レンズを内部に収納する筐体とを備えたプロジェクタに関する。
【背景技術】
【０００２】
従来、光源と、当該光源から射出された光束を画像情報に応じて変調して光学像を形成する光変調装置と、形成された光学像を投射する投射レンズとを備えたプロジェクタが知られている。このようなプロジェクタは、光変調装置により形成された光学像を、投射レンズによってスクリーン等に拡大投射可能に構成されている。
【０００３】
ここで、投射レンズは傷付きやすいので、プロジェクタを使用しない場合には、当該投射レンズを保護する必要がある。このようなプロジェクタとして、装置本体を内部に収納する筐体に、投射レンズを保護するレンズカバーをスライド自在に設けたプロジェクタが知られている（例えば、特許文献１参照）。
この特許文献１に記載のプロジェクタでは、レンズカバーを筐体に沿って一方向にスライドさせることで投射レンズが覆われて保護され、また、レンズカバーを他方向にスライドさせることで投射レンズが露出され、当該投射レンズによる光学像としての光束の射出が可能となる。このレンズカバーの装置本体側の内部には２つのスイッチが設けられ、当該スイッチにより、レンズカバーの開閉状態が検出される構成となっている。
【０００４】
具体的に、２つのスイッチは、ディテクタスイッチで構成され、一方のスイッチが、投射レンズ近傍に設けられ、他方のスイッチが、レンズカバーのスライド方向における前記一方のスイッチより投射レンズから離れた位置に設けられている。そして、これらスイッチのオン／オフ状態を検出することにより、レンズカバーの開状態、スタンバイ状態（レンズカバーが投射レンズの一部を覆う状態）および閉状態を検出することができる。そして、特許文献１に記載のプロジェクタでは、当該レンズカバーの開閉状態に合わせて、光源の発光光量および冷却ファンの回転数を制御している。
【０００５】
【特許文献１】特開２００１−２４９４０２号公報
【発明の開示】
【発明が解決しようとする課題】
【０００６】
しかしながら、特許文献１に記載のプロジェクタでは、レンズカバーを閉状態から少しでも移動させると、投射レンズから離間した位置に配置されたスイッチが、レンズカバーのスライド移動によりオフ状態となってしまい、投射レンズが当該レンズカバーによって覆われていない状態でも、レンズカバーがスタンバイ状態にあると判定されてしまうという問題がある。そして、これにより、レンズカバーのわずかな移動で、光源の発光光量が下げられ、冷却ファンの回転数が下げられてしまうため、プロジェクタの動作が安定しないという問題がある。
さらに、レンズカバーの開閉状態を検出するスイッチが、ディテクタスイッチ等の押圧スイッチで構成されている場合には、レンズカバーのスライド移動に伴って当該スイッチのオン／オフ状態が機械的に切り替わるため、スイッチの状態が戻らなくなるなど、レンズカバーの開閉状態検出における信頼性が低いという問題がある。
【０００７】
本発明の目的は、レンズカバーの開閉状態を適切に検出できるプロジェクタを提供することである。
【課題を解決するための手段】
【０００８】
前記した目的を達成するために、本発明のプロジェクタは、光源と、当該光源から射出された光束を画像情報に応じて変調して光学像を形成する光変調装置と、形成された光学像を投射する投射レンズと、前記光源、前記光変調装置および前記投射レンズを内部に収納する筐体とを備えたプロジェクタであって、前記筐体は、当該筐体に対しスライド自在に設けられ、一方向にスライドして前記投射レンズの投射口を覆い、他方向にスライドして前記投射口を露出させるレンズカバーと、光束を射出する発光部、および、当該発光部により射出された光束を受光する受光部を有し、前記受光部により受光される光束の有無により前記レンズカバーの開閉状態を検出する検出手段とを備え、前記発光部および前記受光部は、当該発光部から射出され、前記受光部に入射する光束の光路が前記レンズカバーのスライド方向に対して交差するように配置され、前記レンズカバーには、前記発光部から前記受光部に入射する光束を遮蔽する遮蔽部が設けられ、前記遮蔽部は、前記レンズカバーのスライド方向に沿って形成され、前記レンズカバーのスライド移動に伴って、前記投射口が完全に露出した状態から前記投射口の一部を覆う状態に切り替わるまでの間、または、前記投射口を完全に覆う状態から前記投射口の一部を露出させるまでの間、前記受光部での受光を遮蔽する幅を有することを特徴とする。
【０００９】
ここで、レンズカバーの開状態とは、投射レンズの投射口がレンズカバーによって覆われていない時のレンズカバーの状態を指す。また、レンズカバーの閉状態とは、投射レンズの投射口の少なくとも一部がレンズカバーによって覆われた時のレンズカバーの状態を指す。
【００１０】
本発明によれば、筐体に対してスライド移動するレンズカバーの遮蔽部の幅を、投射口が完全に露出した状態から投射口の一部を覆う状態に切り替わるまでの間、受光部での受光を遮蔽する幅とすることにより、レンズカバーが投射レンズの一部を覆わない程度にスライド移動した場合でも、レンズカバーが開状態にあることを検出することができる。一方、遮蔽部の幅を、投射口を完全に覆う状態から投射口の一部を露出させるまでの間、受光部での受光を遮蔽する幅とすることにより、投射レンズの一部が露出しない程度にレンズカバーがスライド移動した場合でも、レンズカバーが閉状態にあることを検出することができる。
すなわち、レンズカバーの開閉状態を検出する検出手段の発光部と受光部との間に、当該レンズカバーに設けられた遮蔽部が介装されることにより、発光部から射出され受光部に入射する光束が遮蔽される。この際、遮蔽部がレンズカバーのスライド方向に沿って形成され、レンズカバーのスライド移動に伴って、投射口が完全に露出した状態から投射口の一部を覆う状態に切り替わるまでの間、または、投射口を完全に覆う状態から投射口の一部を露出させるまでの間、受光部での受光を遮蔽する幅を有することにより、レンズカバーが開状態または閉状態から、投射レンズの投射口の一部が覆われない程度に、または、露出しない程度にわずかに移動した場合でも、受光部に入射する光束が遮蔽部により遮蔽されたままとなるので、レンズカバーのわずかな移動を許容することができる。従って、投射レンズの投射口の一部が覆われない程度、または、露出しない程度のレンズカバーの移動を許容することができるので、検出手段がレンズカバーの開閉状態を適切に検出することができる。
【００１１】
また、検出手段は、光束を射出する発光部と、当該発光部から射出される光束を受光する受光部とを備えて構成され、当該受光部が光束を受光するか否かでレンズカバーの開閉状態を検出する。これによれば、検出手段が、機械的にオン／オフされるマイクロスイッチ等で構成されている場合に生じるスイッチの不具合等による、レンズカバーの位置の誤検出を防ぐことができる。従って、レンズカバーの検出を確実に、かつ、適切に行うことができる。
【００１２】
本発明では、前記検出手段と接続され、当該検出手段から前記レンズカバーの開閉状態を取得して、当該レンズカバーの開閉状態を判定する状態判定部と、前記状態判定部により前記レンズカバーが閉状態であると判定されると、前記光変調装置に黒画像を形成させる画像形成制御部とを備えることが好ましい。
本発明によれば、状態判定部が、レンズカバーが閉状態にあり、投射レンズの投射口の少なくとも一部が覆われたと判定した場合には、画像形成制御部が、光変調装置に黒画像を形成させる。これによれば、投射レンズから射出される光束の光量を低減することができる。このため、投射レンズから射出された光束の少なくとも一部が照射されるレンズカバーの温度上昇を、通常の形成画像としての光束が照射される場合に比べて抑制することができる。従って、レンズカバーの発熱を抑制することができる。
【００１３】
本発明では、前記画像形成制御部は、前記状態判定部により、前記レンズカバーが閉状態から開状態に切り替わったと判定されると、前記光変調装置に前記画像情報に基づく光学像を形成させることが好ましい。
本発明によれば、レンズカバーが閉状態から開状態に切り替わり、投射レンズの投射口が完全に露出した状態となった時に、画像形成制御部が、光変調装置による形成画像を、画像情報に基づく画像に切り替えることができる。従って、プロジェクタを通常駆動状態に、容易に戻すことができる。
【００１４】
本発明では、前記検出手段と接続され、当該検出手段から前記レンズカバーの開閉状態を取得して、当該レンズカバーの開閉状態を判定する状態判定部と、前記状態判定部により前記レンズカバーが閉状態であると判定されると、前記光源の発光光量を低減させる光源駆動制御部とを備えることが好ましい。
本発明によれば、状態判定部が、レンズカバーが閉状態であり、投射レンズの投射口の少なくとも一部がレンズカバーにより覆われていると判定すると、光源駆動制御部が、光源の発光光量を低減する。これによれば、投射レンズからレンズカバーに照射される光束の光量が低減するので、通常駆動時の光学像としての光束がレンズカバーに照射される場合に比べ、レンズカバーの発熱を低減することができる。従って、レンズカバーの温度上昇を抑制することができる。
【００１５】
本発明では、前記光源の発光光量を記憶する記憶手段と、前記レンズカバーの開状態での前記光源の発光光量を前記記憶手段に記憶させる発光光量記憶部とを備え、前記光源駆動制御部は、前記状態判定部により、前記レンズカバーが閉状態から開状態に切り替わったと判定されると、前記発光光量記憶部により前記記憶手段に記憶された前記発光光量で前記光源を点灯させることが好ましい。
本発明によれば、発光光量記憶部が、レンズカバーが開状態であった時の光源の発光光量を記憶手段に記憶させ、状態判定部が、レンズカバーが閉状態から開状態に切り替わったと判定すると、光源駆動制御部が、記憶手段に記憶され、レンズカバーが開状態であった時の発光光量を取得して、当該発光光量で光源を点灯させる。これによれば、使用者による発光光量の再設定の必要性を無くすことができる。従って、プロジェクタの通常駆動時に容易に戻すことができる。
【００１６】
本発明では、前記筐体の前記レンズカバーに対向する面には、当該レンズカバーに当接する突起部材と、前記レンズカバーに対して前記突起部材を一方向に付勢する付勢部材とが設けられ、前記レンズカバーには、前記突起部材に当接し、当該レンズカバーのスライド範囲の略中央を中心として略対称に形成された傾斜部が、前記レンズカバーのスライド方向に沿って設けられ、前記傾斜部は、前記レンズカバーのスライドに伴って前記突起部材を前記スライド範囲の中央に位置させるに従って、当該突起部材を前記付勢部材による付勢力が増す方向に移動させることが好ましい。
【００１７】
本発明によれば、レンズカバーに設けられた傾斜部に、付勢部材によってレンズカバーに対して押圧する方向に付勢された突起部材が当接する。そして、傾斜部は、レンズカバーのスライド範囲の略中央を中心として略対称に形成されており、傾斜部の略中央に突起部材が位置するにしたがって、すなわち、レンズカバーがスライド範囲の略中央に位置するにしたがって、付勢部材による付勢力が増大し、突起部材が傾斜部を押圧する力が強くなる。
これによれば、レンズカバーのスライド範囲の終端では、当該レンズカバーを移動させるのに必要な移動力が最も小さく、また、当該レンズカバーのスライド範囲の略中央では、当該移動力が最も大きくなるので、レンズカバーの位置をスライド範囲の終端に維持させやすくすることができる。従って、投射レンズの投射口を完全に露出または被覆した状態を維持しやすくすることができる。
また、レンズカバーをスライドさせて、当該レンズカバーのスライド範囲の略半分を越えると、付勢部材による突起部材に加わる付勢力が減少するので、レンズカバーの移動力を小さくすることができる。従って、レンズカバーの操作性を向上することができるほか、移動力の変化により、レンズカバーの位置を把握することができる。
【００１８】
本発明では、前記傾斜部の両端には、前記突起部材が嵌まり込む段差部が設けられていることが好ましい。
本発明によれば、傾斜部の両端に段差部が形成され、当該段差部に突起部材が嵌まり込むことにより、レンズカバーのスライド範囲の終端でクリック感を生じさせることができる。これによれば、当該クリック感により、レンズカバーがスライド範囲の終端に位置することを認識しやすくすることができる。また、段差部に突起部材が嵌まり込むことにより、スライド範囲の終端にレンズカバーが係止されるので、当該終端からレンズカバーが不意に移動しないようにすることができる。従って、レンズカバーの操作性を一層向上することができるほか、投射レンズの投射口を完全に露出または被覆した状態を、一層維持しやすくすることができる。
【発明を実施するための最良の形態】
【００１９】
以下、本発明の一実施形態を図面に基づいて説明する。
（１）プロジェクタ１の全体構成
図１は、本実施形態に係るプロジェクタ１の構成を示す模式図である。
プロジェクタ１は、光源ランプ４１６から射出された光束を画像情報に応じて変調して光学像を形成し、当該光学像を投射レンズ３によりスクリーン等に射出するものである。このプロジェクタ１は、図１に示すように、外装筐体２と、投射レンズ３と、光学ユニット４等を備えて構成されている。
なお、図１において、図示は省略するが、外装筐体２内において、投射レンズ３および光学ユニット４以外の空間には、プロジェクタ１内部を冷却する冷却ファン等で構成される冷却ユニット、プロジェクタ１内部の各構成部材に電力を供給する電源ユニット、およびプロジェクタ１全体を制御する制御装置５（図９参照）等が配置されるものとする。また、外装筐体２および制御装置５については、後に詳述する。
【００２０】
投射レンズ３は、後述する光学ユニット４にて形成された光学像（カラー画像）を図示しないスクリーン上に拡大投射する。この投射レンズ３は、筒状の鏡筒内に複数のレンズが収納された組レンズとして構成されている。
【００２１】
（２）光学ユニット４の構成
光学ユニット４は、制御装置による制御の下、光源から射出された光束を、光学的に処理して画像情報に対応した光学像（カラー画像）を形成するユニットである。この光学ユニット４は、外装筐体２の背面に沿って延出するとともに、当該外装筐体２の側面に沿って延出する平面視略Ｌ字形状を有している。
この光学ユニット４は、図１に示すように、照明光学装置４１と、色分離光学装置４２と、リレー光学装置４３と、電気光学装置４４と、これら光学部品４１〜４４を内部に収納配置するとともに、投射レンズ３を所定位置で支持固定する光学部品用筐体４５とを備えて構成されている。
【００２２】
照明光学装置４１は、電気光学装置４４を構成する後述する液晶パネルの画像形成領域をほぼ均一に照明するための光学系である。この照明光学装置４１は、光源装置４１１と、第１レンズアレイ４１２と、第２レンズアレイ４１３と、偏光変換素子４１４と、重畳レンズ４１５とを備えている。
光源装置４１１は、放射状の光線を射出する光源ランプ４１６と、この光源ランプ４１６から射出された放射光を反射し所定位置に収束させるリフレクタ４１７と、リフレクタ４１７にて収束される光束を照明光軸Ａに対して平行化する平行化凹レンズ４１８とを備えている。このような光源ランプ４１６としては、ハロゲンランプやメタルハライドランプ、高圧水銀ランプが多用される。また、リフレクタ４１７としては、回転楕円面を有する楕円面リフレクタで構成されているが、回転放物面を有する放物面リフレクタで構成してもよい。この場合には、平行化凹レンズ４１８を省略した構成とすることができる。
【００２３】
第１レンズアレイ４１２は、光軸方向から見て略矩形状の輪郭を有する小レンズがマトリクス状に配列された構成を有している。各小レンズは、光源装置４１１から射出される光束を、複数の部分光束に分割する。
第２レンズアレイ４１３は、第１レンズアレイ４１２と同様な構成を有しており、小レンズがマトリクス状に配列された構成を有している。この第２レンズアレイ４１３は、
重畳レンズ４１５とともに、第１レンズアレイ４１２の各小レンズの像を電気光学装置４４の後述する液晶パネル４４１の画像形成領域に結像させる機能を有している。
【００２４】
偏光変換素子４１４は、第２レンズアレイ４１３と重畳レンズ４１５との間に配置され、第２レンズアレイ４１３から射出された光を略１種類の偏光光に変換するものである。
具体的に、偏光変換素子４１４によって略１種類の直線偏光に変換された各部分光は、重畳レンズ４１５によって最終的に電気光学装置４４の後述する液晶パネル４４１の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、電気光学装置４４での光の利用効率を高めている。
【００２５】
色分離光学装置４２は、２枚のダイクロイックミラー４２１，４２２と、反射ミラー４２３とを備え、ダイクロイックミラー４２１，４２２により照明光学装置４１から射出された複数の部分光束を赤、緑、青の３色の色光に分離する機能を有している。
リレー光学装置４３は、入射側レンズ４３１、リレーレンズ４３３、および反射ミラー４３２，４３４を備え、色分離光学装置４２で分離された色光を赤色光用の液晶パネル４４１Ｒまで導く機能を有している。
【００２６】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネル４４１Ｂに達する。このフィールドレンズ４１９は、第２レンズアレイ４１３から射出された各部分光束をその中心軸（主光線）に対して平行な光束に変換する。他の緑色光および赤色光用の液晶パネル４４１Ｇ，４４１Ｒの光入射側に設けられたフィールドレンズ４１９も同様である。
【００２７】
ダイクロイックミラー４２１を透過した赤色光と緑色光のうち、緑色光はダイクロイックミラー４２２によって反射し、フィールドレンズ４１９を通って緑色光用の液晶パネル４４１Ｇに達する。一方、赤色光はダイクロイックミラー４２２を透過してリレー光学装置４３を通り、さらにフィールドレンズ４１９を通って赤色光用の液晶パネル４４１Ｒに達する。なお、赤色光にリレー光学装置４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００２８】
電気光学装置４４は、色分離光学装置４２から射出される３つの色光を画像情報に応じてそれぞれ変調し、当該各色光を合成して光学像（カラー画像）を形成する。この電気光学装置４４は、光変調装置としての３つの液晶パネル４４１（赤色光用の液晶パネルを４４１Ｒ、緑色光用の液晶パネルを４４１Ｇ、および青色光用の液晶パネルを４４１Ｂとする）と、これら液晶パネル４４１の光束入射側にそれぞれ配置される３つの入射側偏光板４４２と、各液晶パネル４４１の光束射出側にそれぞれ配置される３つの視野角補償板４４３と、３つの視野角補償板４４３の光束射出側にそれぞれ配置される３つの射出側偏光板４４４と、色合成光学装置としてのクロスダイクロイックプリズム４４５とを備えている。
【００２９】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、例えば、サファイアガラスまたは水晶等の透光性基板上に偏光膜が貼付された構成を有している。
光変調装置としての液晶パネル４４１（４４１Ｒ，４４１Ｇ，４４１Ｂ）は、詳しい図示を省略するが、一対の透明なガラス基板に電気光学物質である液晶が密閉封入された構成を有し、前述の制御装置からの駆動信号に応じて、液晶の配向状態が制御され、入射側偏光板４４２から射出された偏光光束の偏光方向を変調する。
【００３０】
視野角補償板４４３は、フィルム状に形成され、光束が液晶パネル４４１に斜方入射（液晶パネル４４１の光束入射面の法線方向に対して傾斜して入射）した場合に、当該液晶パネル４４１で生じる複屈折による常光と異常光との間に生じる位相差を補償する。この視野角補償板４４３は、負の一軸性を有する光学異方体であり、その光学軸がフィルム面内の所定方向に向きかつ、該フィルム面から面外方向に所定角度傾斜するように配向している。
このような視野角補償板４４３としては、例えば、トリアセチルセルロース（ＴＡＣ）等の透明支持体上に配向膜を介してディスコティック（円盤状）化合物層を形成したもので構成することができ、ＷＶフィルム（富士写真フィルム社製）を採用できる。
【００３１】
射出側偏光板４４４は、液晶パネル４４１から射出され視野角補償板４４３を介した光束のうち、入射側偏光板４４２における光束の透過軸と直交する偏光軸を有する光束のみ透過させ、その他の光束を吸収するものである。
クロスダイクロイックプリズム４４５は、射出側偏光板４４４から射出された色光毎に変調された変調光を合成して光学像（カラー画像）を形成する色合成光学装置である。このクロスダイクロイックプリズム４４５は、４つの直角プリズムを貼り合わせた平面視正方形状をなし、直角プリズム同士を貼り合わせた界面には、２つの誘電体多層膜が形成されている。これら誘電体多層膜は、投射レンズ３と対向する側（Ｇ色光側）に配置された射出側偏光板４４４を介した色光を透過し、残り２つの射出側偏光板４４４（Ｒ色光側およびＢ色光側）を介した色光を反射する。このようにして、各入射側偏光板４４２、各液晶パネル４４１、各視野角補償板４４３、および各射出側偏光板４４４にて変調された各色光が合成されてカラー画像が形成される。
【００３２】
（３）外装筐体２の構成
図２および図３は、プロジェクタ１を前面側から見た斜視図である。詳述すると、図２は、プロジェクタ１を構成する外装筐体２に設けられたレンズカバー７を開放して、投射レンズ３の投射口を完全に露出させた状態を示す斜視図である。また、図３は、レンズカバー７を閉塞して、投射レンズ３の投射口３１を完全に覆った状態を示す斜視図である。
外装筐体２は、前述のように、投射レンズ３、光学ユニット４、冷却ユニット、電源ユニットおよび制御装置５（図９参照）等を内部に収納する。この外装筐体２は、図２および図３に示すように、外装筐体２の天面、前面、背面および側面をそれぞれ構成するアッパーケース２１と、プロジェクタ１の底面、前面、背面および側面を構成するロアーケース２２と、アッパーケース２１に取り付けられるガイドブロック２３（図４から図６および図８参照）とで構成されている。このうち、アッパーケース２１とロアーケース２２とは互いにねじ等で固定され、また、アッパーケース２１とガイドブロック２３ともねじで固定されている。
【００３３】
アッパーケース２１の天面２１Ａの略中央には、プロジェクタ１の長手方向に沿って延出する操作パネル２１Ａ１が設けられている。この操作パネル２１Ａ１には、複数のキーが配設されている。このようなキーとして、例えば、プロジェクタ１の電源オン／オフを切り替える電源キー、各種メニュー画面を表示させるメニューキー、当該メニュー画面での項目の操作やズーム等を設定する設定キー等が挙げられる。
また、アッパーケース２１の左側面２１Ｂ（図２および図３における左側の側面）には、外装筐体２内に収納された各種電子部品を冷却した冷却空気を排出する排出口２１Ｂ１が形成されている。この排出口２１Ｂ１の内部には、図示を省略したが、外装筐体２内部を冷却した空気を強制的に排出する冷却ファンが設けられている。
【００３４】
さらに、アッパーケース２１の前面２１Ｃには、当該前面２１Ｃの略全面に亘ってアッパーケース２１の内側に向かって没入する凹部２１Ｃ１が形成され、当該凹部２１Ｃ１には、投射レンズ３の投射口３１が露出する開口２１Ｃ２（図２）が形成されている。また、この凹部２１Ｃ１には、開口２１Ｃ２から露出する投射レンズ３の投射口３１を覆うレンズカバー７が設けられている。なお、レンズカバー７については、後に詳述する。
【００３５】
（４）ガイドブロック２３の構成
図４は、アッパーケース２１に形成された凹部２１Ｃ１を拡大して示す斜視図である。
凹部２１Ｃ１の略中央には、詳しい図示を省略するが、外装筐体２の内側に向かって更に没入した段差部２１Ｃ３が形成されており、当該段差部２１Ｃ３には、図４に示すように、後述するレンズカバー７のスライド移動を案内するガイドブロック２３が設けられている。
このガイドブロック２３は、段差部２１Ｃ３の外形と略同じ大きさに形成され、当該段差部２１Ｃ３に嵌まり込むようにして取り付けられる。
【００３６】
図５および図６は、レンズカバー７が取り付けられ、当該レンズカバー７が閉状態にある場合のアッパーケース２１、ガイドブロック２３およびレンズカバー７の縦断面図である。このうち、図５は、検出手段６が設けられた位置における縦段面図であり、図６は、突起部材２３４および付勢部材２３５が設けられた位置における縦断面図である。
ガイドブロック２３の上部における水平方向の両端には、図４から図６に示すように、水平方向に延出する突条部２３１がそれぞれ形成されている。これら突条部２３１は、レンズカバー７の凹部７Ｂ１（図５および図６）に嵌まり込み、当該レンズカバー７との接触面積を小さくして、レンズカバー７のスライド移動時の抵抗を低減するためのものである。
ガイドブロック２３におけるそれぞれの突条部２３１の下方には、レンズカバー７の突起部７Ｂ２が挿通し、当該レンズカバー７の水平方向のスライド移動を案内する略長円形状のガイド孔２３２（図４から図６）が形成されている。
【００３７】
ガイド孔２３２の下方には、アッパーケース２１の内側に向かって没入した縦断面視略Ｌ字状の段差部２３３（図４および図６）が形成されており、当該段差部２３３の左側（図４における左側）には、レンズカバー７の開閉状態を検出する検出手段６（図４および図５）が設けられている。この検出手段６は、後述する制御装置５（図９参照）と電気的に接続されており、当該制御装置５は、検出手段６から入力する信号に基づいてレンズカバー７の開閉状態を判定可能に構成されている。
【００３８】
この検出手段６は、フォトインタラプタで構成され、対向配置される一対の発光部６１および受光部６２を備えている。これら発光部６１および受光部６２は、レンズカバー７のスライド方向、すなわち、プロジェクタ１の長手方向である水平方向に略直交する方向に、互いに対向するように設けられている。詳述すると、発光部６１および受光部６２は、当該発光部６１と受光部６２とを結ぶ線が、レンズカバー７のスライド方向に対して略直角に交差するように、対向して配置されている。このため、発光部６１から射出される光束の方向は、レンズカバー７のスライド方向に略直交する。そして、検出手段６は、発光部６１から射出された光束を受光部６２が受光した場合に、制御装置５にオフ信号を出力し、受光部６２が光束を受光しない場合に、制御装置５にオン信号を出力する。
【００３９】
さらに、ガイドブロック２３における段差部２３３の下方には、後述するレンズカバー７の傾斜部に当接する突起部材２３４（図４および図６）と、当該突起部材２３４に対して下方に付勢力を付与する付勢部材２３５（図４および図６）とが設けられている。
このうち、突起部材２３４は、ガイドブロック２３に対して上下にスライド自在に設けられている。この突起部材２３４は、下方が略円弧状に形成され、レンズカバー７のスライド移動に伴って当該レンズカバー７の傾斜部７Ｂ４に沿って上下にスライドし、レンズカバー７のスライド範囲の終端では、後述する段差部７Ｂ５に当接する。
【００４０】
また、付勢部材２３５は、圧縮ばねで構成され、一方の端部がアッパーケース２１に取り付けられ、他方の端部が突起部材２３４の上部に取り付けられている。そして、この付勢部材２３５により、突起部材２３４がレンズカバー７の傾斜部７Ｂ４および段差部７Ｂ５を押圧し、当該レンズカバー７のスライド移動に伴って、突起部材２３４は、レンズカバー７の傾斜部７Ｂ４および段差部７Ｂ５に下方への付勢力を加えつつ上下する。
【００４１】
（５）レンズカバー７の構成
レンズカバー７は、プロジェクタ１を使用する場合には投射レンズ３の投射口３１を露出させ、使用しない場合には当該投射口３１を覆って投射レンズ３を保護するものである。このレンズカバー７は、図２および図３に示すように、アッパーケース２１の前面２１Ｃの形状に合わせて断面視略円弧状の曲面形状を有し、当該アッパーケース２１の前面２１Ｃに沿って水平方向にスライド自在に設けられている。また、このレンズカバー７の水平方向の寸法は、アッパーケース２１に形成された凹部２１Ｃ１の略２／３程度とされている。このような形状とすることで、レンズカバー７を閉じた時に、投射レンズ３のズームやフォーカスを調整する操作部３２を覆うことができ、レンズカバー７を閉じた際に誤って操作部３２が操作されてしまうことを防ぐことができる。また、レンズカバー７の高さ方向の寸法は、凹部２１Ｃ１と略同じとされている。
このレンズカバー７の前面７Ａの上部略中央には、複数の突起を有する滑り止め部７Ａ１が形成されており、使用者によるレンズカバー７のスライド移動を行いやすくなっている。
【００４２】
図７は、レンズカバー７を背面側、すなわち、アッパーケース２１に対向する側から見た図である。また、図８は、レンズカバー７をガイドブロック２３に取り付けた状態の当該レンズカバー７およびガイドブロック２３を背面側から見た斜視図である。
レンズカバー７の背面７Ｂには、図５から図８に示すように、上端近傍に、当該レンズカバー７のスライド移動方向に沿う凹部７Ｂ１が形成されている。この凹部７Ｂ１には、前述のガイドブロック２３に形成された突条部２３１（図５および図６）が嵌まり込み、レンズカバー７のスライド移動を案内するとともに、移動時の抵抗を低減する。
【００４３】
背面７Ｂにおける凹部７Ｂ１の下方略中央には、ガイドブロック２３に形成されたガイド孔２３２に挿通される突起部７Ｂ２（図５および図７）が形成されている。この突起部７Ｂ２の内部には、ねじ孔が形成されており、当該突起部７Ｂ２がガイド孔２３２に挿通された状態で、ガイドブロック２３にレンズカバー７を取り付けるねじ２４（図５および図８）が、ガイド孔２３２の短手方向の寸法より大きな外形寸法を有するワッシャ２５（図５および図８）を介して螺合する。
【００４４】
また、突起部７Ｂ２の下方には、遮蔽部７Ｂ３（図５、図７および図８）が形成されている。この遮蔽部７Ｂ３は、レンズカバー７のスライド移動に伴って、検出手段６の発光部６１と受光部６２との間に介装され、発光部６１から射出され受光部６２で受光される光束を遮蔽する。
詳述すると、遮蔽部７Ｂ３は、レンズカバー７が開状態、すなわち、アッパーケース２１の凹部２１Ｃ１に形成された開口２１Ｃ２から投射レンズ３が完全に露出する状態で、発光部６１と受光部６２との間に介装されるように形成されている。
なお、以下の説明で、レンズカバー７が開状態にあるとは、レンズカバー７により投射レンズ３の投射口３１が覆われず、当該投射口３１が完全に露出した時の当該レンズカバー７の状態をいう。また、レンズカバー７が閉状態にあるとは、投射レンズ３の投射口３１の少なくとも一部がレンズカバー７によって覆われる時の当該レンズカバー７の状態をいう。
【００４５】
この遮蔽部７Ｂ３は、略Ｌ字状に形成され、当該遮蔽部７Ｂ３の幅寸法（水平方向の寸法）は、寸法Ｘ１（図７）とされている。この寸法Ｘ１は、レンズカバー７が開状態から投射レンズ３の投射口３１（図２参照）の一部も覆わない程度にスライドした場合でも、発光部６１と受光部６２との間に遮蔽部７Ｂ３が介装されて、発光部６１から射出された光束を受光部６２が受光しない程度の寸法に設定されている。換言すると、受光部６２には、レンズカバー７が投射口３１の一部でも覆う位置にスライド移動した時に、発光部６１から射出された光束が入射することとなる。このため、レンズカバー７が開状態からわずかに移動した場合でも、検出手段６の発光部６１と受光部６２との間に、当該レンズカバー７の遮蔽部７Ｂ３が介装されたままとなるので、レンズカバー７が投射レンズ３を覆っていない状態であることを検出することができる。
【００４６】
さらに、背面７Ｂにおける下方には、略中央に頂点７Ｂ４１（図７）を有する略山型形状の傾斜部７Ｂ４が、レンズカバー７のスライド方向に沿って形成されている。
この傾斜部７Ｂ４は、図７に示すように左右対称に形成され、当該傾斜部７Ｂ４には、ガイドブロック２３に設けられた突起部材２３４の先端部分が当接する。このため、レンズカバー７をスライド移動させると、突起部材２３４が傾斜部７Ｂ４の略中央の頂点７Ｂ４１に位置する時がレンズカバー７のスライド移動に際して最も移動力が必要となり、頂点７Ｂ４１から遠ざかるにしたがって小さな移動力でレンズカバー７が移動できるようになっている。
【００４７】
これによれば、レンズカバー７をスライド範囲の終端から移動させようとするときに、大きな移動力が必要となるため、当該レンズカバー７がスライド範囲（図５におけるＸ２の範囲）の終端から不意にスライドすることを抑制することができる。従って、レンズカバー７の開状態および閉状態を維持しやすくすることができ、投射レンズ３が完全に露出した状態および被覆された状態を維持しやすくすることができる。また、レンズカバー７がスライド範囲の半分以上を越えた場合には、当該レンズカバー７を移動させる移動力を小さくすることができるので、レンズカバー７の操作性を向上することができるとともに、移動力の変化により、レンズカバー７のスライド位置を把握することができる。
【００４８】
また、この傾斜部７Ｂ４の左右の両端には、当該傾斜部７Ｂ４から下がる段差部７Ｂ５（図７および図８）が形成されている。これら段差部７Ｂ５は、レンズカバー７のスライド範囲Ｘ２の終端の位置に形成されており、レンズカバー７が開状態および閉状態にある時に、傾斜部７Ｂ４に当接していた突起部材２３４の先端が、段差部７Ｂ５に嵌まり込むようにして当接する。なお、これら段差部７Ｂ５に突起部材２３４が当接した時が、当該突起部材２３４の一端に設けられた付勢部材２３５による付勢力が最も小さい時になる。
【００４９】
これによれば、突起部材２３４が段差部７Ｂ５に当接することでクリック感が生じ、レンズカバー７がスライド移動範囲の終端に位置することを認識しやすくすることができる。また、突起部材２３４の先端が段差部７Ｂ５に嵌まり込むことにより、レンズカバー７のスライドが規制されることとなるので、レンズカバー７をスライド範囲の終端の位置、すなわち、投射レンズ３の投射口３１が完全に露出した状態、および、完全に覆われた状態を維持することができる。
【００５０】
（６）制御装置５の構成
図９は、制御装置５の構成を示すブロック図である。
制御装置５は、操作パネル２１Ａ１（図２および図３）に配設されたキーの操作に基づいて、あるいは、自律的にプロジェクタ１全体の駆動を制御する。この制御装置５は、詳しい図示を省略するが、ＣＰＵ（Central Processing Unit）等を実装した回路基板として構成されている。このような制御装置５は、図９に示すように、駆動制御手段５１と、記憶手段５２とを備えて構成されている。
【００５１】
このうち、記憶手段５２は、フラッシュメモリ等で構成され、プロジェクタ１の駆動に必要な各種データが記憶されている。この記憶手段５２には、ダウン光量記憶部５２１と、設定光量記憶部５２２とが設けられている。
ダウン光量記憶部５２１は、レンズカバー７が閉状態となった場合に、駆動制御手段５１の光源駆動制御部５１３によって低減される光源ランプ４１６の発光光量を記憶する。
設定光量記憶部５２２は、光源ランプ４１６の通常駆動時の発光光量を記憶する。また、設定光量記憶部５２２は、レンズカバー７が開状態から閉状態に切り替わった際に、駆動制御手段５１の発光光量記憶部５１４により、レンズカバー７が開状態であった時の光源ランプ４１６の発光光量を記憶する。
【００５２】
駆動制御手段５１は、レンズカバー７の状態に応じて、液晶パネル４４１の駆動および光源ランプ４１６の点灯を制御する。この駆動制御手段５１は、状態判定部５１１、画像形成制御部５１２、光源駆動制御部５１３および発光光量記憶部５１４を備えて構成されている。
状態判定部５１１は、検出手段６と電気的に接続されており、当該検出手段６から入力する信号に基づいて、レンズカバー７の開閉状態を判定する。具体的に、状態判定部５１１は、検出手段６からオン信号が入力した場合には、レンズカバー７が開状態にあると判定し、オフ信号が入力した場合には、レンズカバー７が閉状態にあると判定する。
【００５３】
画像形成制御部５１２は、状態判定部５１１によるレンズカバー７の状態に応じて、液晶パネル４４１の駆動を制御する。
具体的に、画像形成制御部５１２は、状態判定部５１１により、レンズカバー７が開状態にあると判定された場合には、入力する画像情報を処理して、当該画像情報に応じて液晶パネル４４１の駆動を制御して、当該画像情報に基づく画像の形成を行う。
一方、状態判定部５１１により、レンズカバー７が閉状態にあると判定された場合には、画像形成制御部５１２は、黒画像を形成するように液晶パネル４４１の駆動を制御する。これにより、レンズカバー７が閉状態にある場合には、黒画像としての光束がレンズカバー７に照射されることとなるので、当該レンズカバー７に照射される画像としての光束の光量が、入力する画像情報に基づく画像としての光束の光量に比べて低減され、レンズカバー７の発熱が抑えられる。
【００５４】
光源駆動制御部５１３は、光源ランプの点灯および発光光量を制御する。
具体的に、光源駆動制御部５１３は、状態判定部５１１により、レンズカバー７が開状態にあると判定された場合には、発光光量記憶部５１４により記憶手段５２の設定光量記憶部５２２に記憶され、使用者等により設定された通常駆動時の発光光量にて、光源ランプ４１６を点灯させる。
一方、レンズカバー７が閉状態にあると判定された場合には、記憶手段５２のダウン光量記憶部５２１に記憶された通常駆動時より低減された発光光量にて、光源ランプ４１６を点灯させる。
【００５５】
発光光量記憶部５１４は、レンズカバー７が開状態にある時の発光光量を記憶手段５２の設定光量記憶部５２２に記憶させる。
具体的に、発光光量記憶部５１４は、使用者等により設定された通常駆動時の発光光量を記憶させる。また、発光光量記憶部５１４は、状態判定部５１１が、レンズカバー７が開状態から閉状態に切り替わったと判定した場合に、当該開状態での光源ランプ４１６の発光光量を、設定光量記憶部５２２に記憶させる。
【００５６】
（７）状態切替時処理Ｓ
図１０は、状態切替時処理Ｓの処理フローを示す図である。
制御装置５は、プロジェクタ１の動作時に、レンズカバー７の状態を検出して、当該状態に応じた処理を行うために、状態切替時処理Ｓを常に実行している。
この状態切替時処理Ｓでは、図１０に示すように、まず、制御装置５の駆動制御手段５１を構成する状態判定部５１１が、検出手段６から入力する信号に基づいて、レンズカバー７の状態に変化があったか否かを判定する（ステップＳ１）。
ここで、状態判定部５１１は、レンズカバー７の状態に変化がないと判定した場合には、引き続き、検出手段６から入力する信号を取得して、レンズカバー７の状態を監視する。
【００５７】
一方、状態判定部５１１が、レンズカバー７の状態に変化があったと判定した場合には、当該レンズカバー７が開状態から閉状態に切り替わったか否かを判定する（ステップＳ２）。
ここで、状態判定部５１１が、レンズカバー７が開状態から閉状態に切り替わったと判定した場合には、画像形成制御部５１２が、液晶パネル４４１の駆動を制御して黒画像を形成させる（ステップＳ３）。この形成された黒画像の少なくとも一部は、投射レンズ３を介して、レンズカバー７に照射されることとなるため、通常駆動時の形成画像としての光束がレンズカバー７に照射される場合に比べ、当該レンズカバー７の発熱を抑制することができる。従って、レンズカバー７の変形等を抑制することができる。
【００５８】
また、発光光量記憶部５１４が、レンズカバー７が閉状態に切り替わる前の開状態での光源ランプ４１６の発光光量を、記憶手段５２の設定光量記憶部５２２に記憶させる（ステップＳ４）。
この後、光源駆動制御部５１３が、記憶手段５２のダウン光量記憶部５２１に記憶され、通常駆動時より低減された発光光量で、光源ランプ４１６を点灯させる（ステップＳ５）。これにより、投射レンズ３から投射される光束の光量が低減されるので、当該光束の少なくとも一部が照射されるレンズカバー７の発熱が抑えられ、当該レンズカバー７の変形が一層抑制される。
【００５９】
一方、ステップＳ２にて、状態判定部５１１が、レンズカバー７が開状態から閉状態に切り替わったと判定しなかった場合、換言すると、レンズカバー７が閉状態から開状態に切り替わったと判定した場合、画像形成制御部５１２が、黒画像形成を中止し、入力する画像情報に基づく通常画像の形成を行う（ステップＳ６）。これにより、形成された通常画像としての光束が、露出した投射レンズ３から投射されることとなり、形成画像を画像情報に基づく画像に容易に戻すことができる。
【００６０】
また、光源駆動制御部５１３が、記憶手段５２の設定光量記憶部５２２に記憶された発光光量を読込み（ステップＳ７）、当該発光光量に光源ランプ４１６の発光光量を設定して、当該光源ランプ４１６を点灯させる（ステップＳ８）。これにより、光源ランプ４１６から射出される光束の光量を、レンズカバー７が閉状態となる前の光量に戻すことができる。従って、光源ランプ４１６の発光光量を、プロジェクタ１の通常駆動時の光量に容易に戻すことができる。
【００６１】
以上のような本実施形態のプロジェクタ１によれば、以下の効果を奏することができる。
すなわち、アッパーケース２１に設けられたレンズカバー７の遮蔽部７Ｂ３が、レンズカバー７のスライド移動に伴って、ガイドブロック２３に設けられた検出手段６の発光部６１と受光部６２との間に介装され、受光部６２に入射する光束が遮蔽される。この遮蔽部７Ｂ３は、投射口３１が完全に露出した状態から当該投射口３１の一部がレンズカバー７により覆われた状態となるまで、受光部６２に入射する光束を遮蔽できる程度の幅寸法を有するように形成されている。
これによれば、レンズカバー７が投射口３１を覆わない程度にスライド移動した場合には、遮蔽部７Ｂ３が受光部６２に入射する光束を遮蔽しているので、投射レンズ３による光学像の投射に影響のない程度のレンズカバー７のスライド移動を許容することができる。一方、投射口３１の少なくとも一部が覆われる位置にレンズカバー７がスライド移動した際には、発光部６１と受光部６２との間に遮蔽部７Ｂ３が介装されず、発光部６１から射出された光束が受光部６２に入射するので、レンズカバー７が閉状態であることを検出することができる。従って、レンズカバー７の開閉状態を適切に検出することができる。
【００６２】
また、検出手段６が、発光部６１と、当該発光部６１から射出された光束を受光する受光部６２とを有するフォトインタラプタで構成され、当該受光部６２が光束を受光するか否かでレンズカバー７の開閉状態を検出している。これによれば、マイクロスイッチ等のように、レンズカバー７のスライド移動に伴って機械的に突没することで、当該レンズカバー７の開閉状態を検出する検出手段に比べ、誤検出を防ぐことができる。従って、レンズカバー７の開閉状態の検出精度を向上することができる。
【００６３】
（８）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６４】
前記実施形態では、レンズカバー７が開状態にある時に、当該レンズカバー７の遮蔽部７Ｂ３により、検出手段６の発光部６１により射出され受光部６２に入射する光束が遮蔽されるとしたが、本発明はこれに限らない。例えば、レンズカバー７が閉状態にある時に、当該レンズカバー７の遮蔽部７Ｂ３が受光部６２に入射する光束を遮蔽するようにしてもよい。
【００６５】
前記実施形態では、検出手段６の発光部６１および受光部６２は、レンズカバー７のスライド方向に対して略直交する方向に対向配置されるとしたが、本発明はこれに限らない。すなわち、レンズカバー７の遮蔽部７Ｂ３の移動軌跡が、発光部６１から射出され受光部６２に入射する光束の光路と交差する位置に、それぞれが形成または配置されていればよい。例えば、当該スライド方向に対して傾斜した位置に、発光部６１および受光部６２が配置されていてもよい。
また、前記実施形態では、検出手段として、発光部６１と、当該発光部６１から射出された光束が直接入射する受光部６２とを有する検出手段６を採用したが、発光部から射出された光束が所定の面で反射した後、受光部に入射する構成の検出手段を用いてもよい。
【００６６】
前記実施形態では、投射レンズ３の投射口３１の少なくとも一部がレンズカバー７によって覆われた状態を、当該レンズカバー７の閉状態とし、投射口３１が完全に露出した状態を、レンズカバー７の開状態としたが、本発明はこれに限らない。例えば、投射口３１が完全に覆われた状態を閉状態とし、投射口３１の少なくとも一部が露出した状態を開状態としてもよい。
【００６７】
前記実施形態では、レンズカバー７に形成された傾斜部７Ｂ４は、上方に頂点７Ｂ４１を有する略山型形状に形成されるとしたが、これとは上下逆の形状を有するように形成されていてもよい。このような場合、ガイドブロック２３に設けられた突起部材および付勢部材は、当該突起部材が上方に向かって付勢された状態で傾斜部に当接されるように設けられていればよい。
【００６８】
前記実施形態では、レンズカバー７が開状態から閉状態になった時に、黒画像を形成し、光源ランプ４１６の発光光量を低減するようにしたが、レンズカバー７が閉状態となってから所定時間以内に、当該レンズカバー７の開状態への動作が行われなかった場合に、光源ランプ４１６を消灯するようにしてもよい。これによれば、レンズカバー７が閉状態とされたまま放置された場合に、自動的に光源ランプ４１６が消灯されるので、無駄な電力の消費を抑えることができる。また、この際、液晶パネル４４１による画像形成も停止するようにすれば、さらに無駄な電力消費を抑制することができるだけでなく、液晶パネル４４１において焼き付き等が生じることを防ぐことができる。
【００６９】
前記実施形態では、光学ユニット４が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル４４１を用いていたが、光入射面と光射出面とが同一となる反射型の液晶パネルを用いてもよい。
さらに、前記実施形態のプロジェクタ１では、３つの液晶パネル４４１Ｒ，４４１Ｇ，４４１Ｂを用いたが、本発明はこれに限らない。すなわち、２つ、あるいは、４つ以上の液晶パネルを用いたプロジェクタにも、本発明を適用可能である。
【００７０】
前記実施形態では、光変調装置として液晶パネル４４１を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタにも、本発明を適用することも可能である。このような光変調装置を用いた場合、光束入射側および光束射出側の偏光板４４２，４４４は、省略することができる。
【産業上の利用可能性】
【００７１】
本発明は、プロジェクタに利用でき、特に、発光光量が高い光源を有するプロジェクタに好適に利用することができる。
【図面の簡単な説明】
【００７２】
【図１】本発明の一実施形態に係るプロジェクタの構成を示す模式図。
【図２】前記実施形態におけるプロジェクタを前面側から見た斜視図。
【図３】前記実施形態におけるプロジェクタを前面側から見た斜視図。
【図４】前記実施形態におけるアッパーケースに形成された凹部を示す斜視図。
【図５】前記実施形態におけるアッパーケース、ガイドブロックおよびレンズカバーを示す縦断面図。
【図６】前記実施形態におけるアッパーケース、ガイドブロックおよびレンズカバーを示す縦断面図。
【図７】前記実施形態におけるレンズカバーを示す背面図。
【図８】前記実施形態におけるガイドブロックおよびレンズカバーを背面側から見た斜視図。
【図９】前記実施形態における制御装置の構成を示すブロック図。
【図１０】前記実施形態における状態切替時処理の処理フローを示す図。
【符号の説明】
【００７３】
１…プロジェクタ、２…外装筐体（筐体）、３…投射レンズ、６…検出手段、７…レンズカバー、３１…投射口、５２…記憶手段、６１…発光部、６２…受光部、２３４…突起部材、２３５…付勢部材、４１６…光源ランプ（光源）、４４１（４４１Ｒ，４４１Ｇ，４４１Ｂ）…液晶パネル（光変調装置）、５１１…状態判定部、５１２…画像形成制御部、５１３…光源駆動制御部、５１４…発光光量記憶部、７Ｂ３…遮蔽部、７Ｂ４…傾斜部、７Ｂ５…段差部。
【図１】
0004710657.tif 000002
【図２】
0004710657.tif 000003
【図３】
0004710657.tif 000004
【図４】
0004710657.tif 000005
【図５】
0004710657.tif 000006
【図６】
0004710657.tif 000007
【図７】
0004710657.tif 000008
【図８】
0004710657.tif 000009
【図９】
0004710657.tif 000010
【図１０】
0004710657.tif 000011